(57)【特許請求の範囲】
【請求項１】
床暖房パネルの複数本の温水配管と床下の主配管とを接続した床暖房配管接続構造において、
床に設けられた開口と、
該開口を塞ぐカバーと、
該カバーに設けられたノズル挿通孔と、
床下に配置された本体部及び該本体部から突設され、該ノズル挿通孔に挿通されたノズルを有した分岐ヘッダーとを備えてなり、
該分岐ヘッダーとして、往き側主配管及び往き側温水配管が接続された往き側ヘッダーと、戻り側主配管及び戻り側温水配管が接続された戻り側ヘッダーとが設置され、
該カバーの上面側において各温水配管と各ノズルの先端とが接続されていることを特徴とする床暖房配管接続構造。
【請求項２】
請求項１において、前記カバーの上面には、前記温水配管の本数の２倍の数の溝が設けられており、各溝の少なくとも一端が該カバーの縁部にまで延在し、前記温水配管が該溝内に引き込まれており、
該溝の底面に前記ノズル挿通孔が開口しており、該溝内においてノズル先端部と温水配管とが接続されていることを特徴とする床暖房配管接続構造。
【請求項３】
請求項２において、各溝は略平行に延在しており、往き側温水配管が配設される往き側溝と戻り側温水配管が配設される戻り側溝とが交互に配置されていることを特徴とする床暖房配管接続構造。
【請求項４】
請求項３において、往き側溝のノズル挿通孔と戻り側溝のノズル挿通孔とは、溝長手方向の位置が異なっていることを特徴とする床暖房配管接続構造。
【請求項５】
請求項２ないし４のいずれか１項において、前記ノズル挿通孔は溝長手方向の口径が溝幅方向の口径よりも大きい長孔形状であることを特徴とする床暖房配管接続構造。
【請求項６】
請求項２ないし５のいずれか１項において、前記分岐ヘッダーのノズルは、本体部から延在する縦管部と、該縦管部の上端から該縦管部と略直交方向に延出した温水配管接続部とを備えていることを特徴とする床暖房配管接続構造。
【請求項７】
請求項１ないし６のいずれか１項において、床に設けた前記開口の開口面積は５０〜１５０ｃｍ２であることを特徴とする床暖房配管接続構造。
【発明の詳細な説明】
【技術分野】
【０００１】
本発明は床暖房パネルの温水配管と床下の主配管を分岐ヘッダーを介して接続した構造に関するものである。
【背景技術】
【０００２】
床暖房パネルとして、上面に配管引き回し用の溝を有した基板の該溝に温水配管を引き回したものが広く用いられている。広い面積の床暖房を行うための床暖房パネルには、温水配管は複数本（複数回路）設けられている。
【０００３】
このように複数回路の温水配管を備えた床暖房パネルに対しては、ボイラ等からの温水が往き側主配管から分岐ヘッダーを介して各温水配管に供給される。各温水配管を流れる間に温水は降温し、戻り側温水配管の末端から分岐ヘッダー及び戻り側主配管を介してボイラ等に戻り、再度加熱されて往き側主配管に送り出される。
【０００４】
床下に配設された主配管とこの床暖房パネルの温水配管とを接続するには、特許文献１，２のように、床上に分岐ヘッダーを配置し、温水配管及び主配管を分岐ヘッダーに接続するようにしている。
【０００５】
特許文献１では、分岐ヘッダーから下方に突設された脚管（パイプ差込部材）が床の孔を通って床下に突出しており、主配管が床下にて該脚管に接続される。
【０００６】
特許文献２では、分岐ヘッダーからフレキ管よりなる主配管接続用の管が延設されており、このフレキ管が床の孔を通って床下に引き回され、床下にて主配管と接続される。
【先行技術文献】
【特許文献】
【０００７】
【特許文献１】特開２００５−２８２９３１
【特許文献２】特開２００４−３３２９５７
【発明の概要】
【発明が解決しようとする課題】
【０００８】
上記特許文献１，２では、床下にて脚管等と主配管とを接続する作業を行わなければならず、作業性に劣る。
【０００９】
ところで、５．５ｍｍ厚の薄形の床暖房パネルの面積を大きくすると、温水配管の通水圧損の関係から回路数（温水配管の本数）を多くしなければならない。温水配管と主配管との接続を床下で行う場合、床に温水配管引き込み用開口をあけるが、強度の関係から１２０ｍｍ×１２０ｍｍ程度の大きさのものしか開けられない。配管の本数が増えると配管同士のピッチが狭いため継ぎ手同士があたり、納まらない場合がある（暖房樹脂管の曲げ癖などで継ぎ手同士が傾いたりし、あたって、カバーの空間に収まらない）。
【００１０】
本発明は、床暖房パネルの温水配管回路数が多い場合であっても、床の開口を大きくすることなく、床上からの作業で配管接続を行うことができる床暖房配管接続構造を提供することを目的とする。
【課題を解決するための手段】
【００１１】
請求項１の床暖房配管接続構造は、床暖房パネルの複数本の温水配管と床下の主配管とを接続した床暖房配管接続構造において、床に設けられた開口と、該開口を塞ぐカバーと、該カバーに設けられたノズル挿通孔と、床下に配置された本体部及び該本体部から突設され、該ノズル挿通孔に挿通されたノズルを有した分岐ヘッダーとを備えてなり、該分岐ヘッダーとして、往き側主配管及び往き側温水配管が接続された往き側ヘッダーと、戻り側主配管及び戻り側温水配管が接続された戻り側ヘッダーとが設置され、該カバーの上面側において各温水配管と各ノズルの先端とが接続されていることを特徴とするものである。
【００１２】
請求項２の床暖房配管接続構造は、請求項１において、前記カバーの上面には、前記温水配管の本数の２倍の数の溝が設けられており、各溝の少なくとも一端が該カバーの縁部にまで延在し、前記温水配管が該溝内に引き込まれており、該溝の底面に前記ノズル挿通孔が開口しており、該溝内においてノズル先端部と温水配管とが接続されていることを特徴とするものである。
【００１３】
請求項３の床暖房配管接続構造は、請求項２において、各溝は略平行に延在しており、往き側温水配管が配設される往き側溝と戻り側温水配管が配設される戻り側溝とが交互に配置されていることを特徴とするものである。
【００１４】
請求項４の床暖房配管接続構造は、請求項３において、往き側溝のノズル挿通孔と戻り側溝のノズル挿通孔とは、溝長手方向の位置が異なっていることを特徴とするものである。
【００１５】
請求項５の床暖房配管接続構造は、請求項２ないし４のいずれか１項において、前記ノズル挿通孔は溝長手方向の口径が溝幅方向の口径よりも大きい長孔形状であることを特徴とするものである。
【００１６】
請求項６の床暖房配管接続構造は、請求項２ないし５のいずれか１項において、前記分岐ヘッダーのノズルは、本体部から延在する縦管部と、該縦管部の上端から該縦管部と略直交方向に延出した温水配管接続部とを備えていることを特徴とするものである。
【００１７】
請求項７の床暖房配管接続構造は、請求項１ないし６のいずれか１項において、床に設けた前記開口の開口面積は５０〜１５０ｃｍ２であることを特徴とするものである。
【発明の効果】
【００１９】
本発明の床暖房配管接続構造にあっては、主配管の先端に分岐ヘッダーを取り付けておき、この分岐ヘッダーのノズルをカバーのノズル挿通孔を通し、ノズル先端部をカバーの上面側に配置する。そして、このノズル先端部に床暖房パネルの温水配管を接続する。その後、このカバーを床の開口に装着する。これにより、床上側からの作業によって床下の主配管と床暖房パネルの温水配管との接続を行うことができ、作業効率がよい。また、床暖房パネルが薄形で大面積のものであっても、床に設ける開口の大きさを大きくすることなく温水配管と主配管とを接続することができる。
【図面の簡単な説明】
【００２０】
【図１】床暖房パネルの平面図である。
【図２】床暖房パネルのカバー部分の平面図である。
【図３】カバーの平面図である。
【図４】（ａ）図はカバーの側面図、（ｂ）ないし（ｅ）の各図はそれぞれ図３のＢ−Ｂ線ないしＥ−Ｅ線断面図である。
【図５】図３のＶ−Ｖ線断面図である。
【図６】図３のVI−VI線断面図である。
【図７】カバーの斜視図である。
【図８】カバー及び分岐ヘッダーの斜視図である。
【図９】カバー及び分岐ヘッダーの断面図である。
【図１０】カバー及び分岐ヘッダーの断面図である。
【図１１】カバー及び分岐ヘッダーの断面図である。
【発明を実施するための形態】
【００２１】
以下、第１図〜第１１図を参照して実施の形態について説明する。
【００２２】
この床暖房配管接続構造を用いた床暖房システムにあっては、ボイラ（図示略）からの温水を往き側主配管１及び分岐ヘッダー５０Ａ（第９，１１図）を介して床暖房パネル１０の温水配管１４の往き側に供給し、温水配管１４の戻り側からの降温した温水を分岐ヘッダー５０Ｂ及び戻り側主配管２（第１０，１１図）を介してボイラに戻し、再び加熱して循環させるよう構成している。まず、第１図を参照して床暖房パネル１０について説明する。
【００２３】
［床暖房パネルの説明］
この床暖房パネル１０は、複数枚の略長方形の基板１１と、複数本の小根太１２とが、各々の長手方向を平行方向として交互に配列され、各基板１１の上面に形成された配管配設用の溝内に温水配管１４が引き回された構成となっている。基板１１の上面には、温水配管１４を収容した溝を塞ぐように均熱シート（図示略）が貼り付けられている。この均熱シートは、各基板１１及び各小根太１２の上面に連続して貼り付けられている。
【００２４】
この実施の形態では、各小根太１２の長手方向の途中部に、隣り合う基板１１，１１同士を連結する連結スペース（符号略）が形成されており、温水配管１４はこの連結スペースを通って隣り合う一方の基板１１から他方の基板１１に連続して引き回されている。この実施の形態では、第１図の右下部の基板１１（１１Ａ）を除く各基板１１の上面にそれぞれ４条の溝が延設されている。右下の基板１１Ａには６条の溝が延設されている。
【００２５】
即ち、この床暖房パネル１０は、全体として３本の温水配管１４が引き回され、３回路の温水循環配管構成となっている。右下部の基板１１Ａには３回路の温水配管の往き側と戻り側とが引き回されるので、合計６条（２×３＝６）の溝が設けられ、２回路の温水配管１４が引き回されている。その他の基板には、それぞれ２回路すなわち４条の溝が設けられている。
【００２６】
第１図の右下部の基板１１Ａのコーナー部に切欠状部１５が設けられ、この切欠状部１５内にカバー２０が配置されている。建物の部屋の床４０（第９〜１１図）に一辺が約８〜２０ｃｍ程度（開口面積５０〜１５０ｃｍ２程度）の開口４１が設けられ、この開口４１にカバー２０が装着されている。後に詳述する通り、このカバー２０に分岐ヘッダー５０Ａ，５０Ｂのノズル５１〜５６が挿通され、ノズル先端部に各温水配管１４の末端が接続されている。
【００２７】
［カバー２０の説明］
第２図〜第７図を参照してカバー２０の構成について説明する。このカバー２０は、平面視形状が略長方形状である。カバー２０の中央部は下面側に突出した厚肉部２０Ａとなっている。このカバー２０の上面には、長方形のカバー２０の長手辺と平行方向に延在する６条の溝２１，２２，２３，２４，２５，２６が設けられている。各溝２１〜２６はカバー２０の上面の一端から他端まで連続している。各溝２１〜２６に温水配管１４の末端部が引き込まれる。
【００２８】
上記の厚肉部２０Ａ以外では、溝２１〜２６はカバー２０の下面にまで達している。溝２１〜２６は、厚肉部２０Ａでは深くなっているが、カバーの下面までは達していない。また、この厚肉部２０Ａ部分において溝２１〜２６の幅員は溝２１〜２６の両端側付近よりも大きくなっている。厚肉部２０Ａにおいて、溝２１〜２６の底面からカバー２０の下面にまで貫通するノズル挿通孔３１，３２，３３，３４，３５，３６が設けられている。
【００２９】
第３図の通り、溝配列方向の奇数番目（１，３，５番目）の溝２１，２３，２５のノズル挿通孔３１，３３，３５は、偶数番目（２，４，６番目）の溝２２，２４，２６のノズル挿通孔３２，３４，３６と溝長手方向の配置位置がずれている。第３図ではノズル挿通孔３１，３３，３５はノズル挿通孔３２，３４，３６よりも右側に位置している。これは、隣接する溝のノズル挿通孔の位置を互い違い状にずらすことにより、ノズル挿通孔３１〜３６の口径を大きくしても隣接する孔同士が繋がらないようにするためである。これにより、カバー２０の幅員を大きくすることなく、多数のノズルをカバー２０に挿通することが可能となる。
【００３０】
各ノズル挿通孔３１〜３６は、溝長手方向の口径が溝幅方向の口径よりも大きい長孔形状となっている。これは、後述の分岐ヘッダー５０Ａ，５０Ｂのノズル５１〜５６をノズル挿通孔３１〜３６に挿通し易くするためである。
【００３１】
また、第４図（ｃ），（ｄ）の通り、ノズル挿通孔３１〜３６の下半側は溝長手方向に傾いたハの字型となっているが、これも同様の理由による。なお、第４図（ｃ），（ｄ）の通り、奇数番目の溝のノズル挿通孔３１，３３，３５の位置と偶数番目の溝のノズル挿通孔３２，３４，３６の位置とは、互いに分岐ヘッダ厚み以上ずれている。これは、分岐ヘッダー５０Ａ，５０Ｂのうち一方を先にカバー２０に装着し、他方を後からカバー２０に装着するときに、両分岐ヘッダー５０Ａ，５０Ｂ同士が干渉しないようにするためである。
【００３２】
カバー２０には、該カバー２０を床４０に留め付けるためのビスの挿通孔２７が設けられている。
【００３３】
［分岐ヘッダーの説明］
この実施の形態では、同一形状の２個の分岐ヘッダー５０Ａ，５０Ｂを用いる。第８図〜第１１図の通り、各分岐ヘッダー５０Ａ，５０Ｂは、ヘッダー本体５８と、該ヘッダー本体５８の下面から下方に突設された主配管接続部５７と、ヘッダー本体５８の上面から上方に突設された３本のノズルを備えている。
【００３４】
分岐ヘッダー５０Ａのノズルには符号５１，５３，５５を付し、分岐ヘッダー５０Ｂのノズルには符号５２，５４，５６を付してあるが、各ノズル５１〜５６の構造は同一である。各ノズル５１〜５６は、ヘッダー本体５８から立ち上がる縦管部５１ａ，５２ａ，５３ａ，５４ａ，５５ａ，５６ａと各縦管部５１ａ〜５６ａの上端から同一の横方向に延出した温水配管接続部５１ｂ〜５６ｂを備えた逆Ｌ字形状となっている（符号５４ａ，５６ａ，５４ｂ，５６ｂについては図示なし。）。
【００３５】
ノズル５１，５３，５５はノズル挿通孔３１，３３，３５に挿通され、ノズル５２，５４，５６はノズル挿通孔３２，３４，３６に挿通される。
【００３６】
ヘッダー本体５８は直棒状（この実施の形態では直方体形状）であり、３本のノズルはヘッダー本体５８の長手方向に配列されている。ヘッダー本体５８の内部には、主配管接続部５７と各ノズル５１，５３，５５又は５２，５４，５６とを連通するための水路が設けられている。
【００３７】
［温水配管１４と主配管１，２との接続手順］
建物の床に設置された床暖房パネル１０の３回路の温水配管１４の各々の末端と主配管１又は２とを接続するには、まず主配管１，２の先端を分岐ヘッダー５０Ａ，５０Ｂの主配管接続部５７に差し込み、バンド（図示略）で留め付けておく。この作業は、主配管１，２の先端を開口４１から床上側に引き出して床上で行うことができる。
【００３８】
この分岐ヘッダー５０Ａのノズル５２，５４，５６を第９図のようにカバー２０のノズル挿通孔３２，３４，３６に下から上へ挿通する。そして、ノズル５２，５４，５６の温水配管接続部５２ｂ，５４ｂ，５６ｂ（５４ｂ，５６ｂは図示略）にそれぞれ温水配管１４の往き側の末端を接続する。
【００３９】
また、分岐ヘッダー５０Ｂのノズル５１，５３，５５を第１０図のようにノズル挿通孔３１，３３，３５に下から上へ挿通し、各温水配管接続部５１ｂ，５３ｂ，５５ｂに温水配管１４の戻り側の末端を接続する。各温水配管１４を溝２１〜２６に係合させた状態で、カバー２０を床４０の開口４１に被せ、孔２７を通してビス（図示略）を床４０に打ち込んでカバー２０を床４０に固定する。
【００４０】
このように、床上側からの作業だけで主配管１，２と各温水配管１４とを接続することができる。
【００４１】
なお、往き側主配管１を分岐ヘッダー５０Ｂに接続し、戻り側主配管２を分岐ヘッダー５０Ａに接続してもよい。
【００４２】
本発明は、厚さが５ｍｍ〜９ｍｍ例えば５．５ｍｍと薄形であり、２回路（２本）以上（例えば２〜１０回路）の温水配管を備えた大面積の床暖房パネルを主配管に接続する場合に好適である。
【符号の説明】
【００４３】
１，２  主配管
１０  床暖房パネル
１４  温水配管
２０  カバー
２１〜２６  溝
３１〜３６  ノズル挿通孔
５０Ａ，５０Ｂ  分岐ヘッダー
５１〜５６  ノズル
【図１】
0005577822.tif 000002
【図２】
0005577822.tif 000003
【図３】
0005577822.tif 000004
【図４】
0005577822.tif 000005
【図５】
0005577822.tif 000006
【図６】
0005577822.tif 000007
【図７】
0005577822.tif 000008
【図８】
0005577822.tif 000009
【図９】
0005577822.tif 000010
【図１０】
0005577822.tif 000011
【図１１】
0005577822.tif 000012